【事件の表示】
　特許第２９７２３４５号「水中油型化粧料用組成物」の請求項に係る特許に対する特許異議の申立てについて、次のとおり決定する。
【結　論】
　訂正を認める。
　特許第２９７２３４５号の請求項１ないし１１に係る特許を維持する。
【理　由】
１．手続の経緯
　本件特許第２９７２３４５号発明は、平成７年７月２０日（パリ条約による優先権主張、平成６年７月２１日（２件）、平成７年３月３１日、日本国）を国際出願日とする特許出願であって、平成１１年８月２７日にその特許の設定登録がなされ、その後、平山きよみより特許異議申立がなされ、当審より取消理由通知がなされ、その指定期間内である平成１２年１０月３日に訂正請求がなされたものである。　
　　　　　
２．訂正の適否についての判断
(a)訂正の内容
訂正事項ａ
　特許請求の範囲の請求項１が
「　水と、ワックスエステルと、その他の化粧料に配合される成分の１種以上とからなる水中油型化粧料用組成物であって、組成物の総重量基準で、
（Ａ） 構成部分として、Ｃ１８−３４の高級脂肪酸に由来する部分とＣ１８−４４の高級脂肪アルコールに由来する部分を有する、１種以上のワックスエステル０.１〜１０.０重量％、ならびに
（Ｂ） １種以上の両性界面活性剤０.５〜１０.０重量％を含んでなる化粧料用組成物。」とあるのを
「　水と、ワックスエステルと、その他の化粧料に配合される成分の１種以上とからなる固型状の水中油型化粧料用組成物であって、組成物の総重量基準で、
（Ａ） 構成部分として、Ｃ１８−３４の高級脂肪酸に由来する部分とＣ１８−４４の高級脂肪アルコールに由来する部分を有する、１種以上のワックスエステル０.１〜１０.０重量％、ならびに
（Ｂ） １種以上の両性界面活性剤０.５〜１０.０重量％を含んでなり、かつ
５０℃以下の温度において流動性を示さない、化粧料用組成物。」と訂正し、
訂正事項ｂ
　同じく請求項２が
「　水と、ワックスエステルと、その他の化粧料に配合される成分の１種以上とからなる水中油型化粧料用組成物であって、組成物の総重量基準で、
（Ａ） 構成部分として、Ｃ１８−３４の高級脂肪酸に由来する部分とＣ１８−４４の高級脂肪アルコールに由来する部分を有する、１種以上のワックスエステル０.１〜１０.０重量％、
（Ｂ） １種以上の両性界面活性剤０.５〜１０.０重量％、ならびに
（Ｃ） １種以上のＣ６−３４の高級脂肪酸０.１〜２.０重量％
を含んでなる化粧料用組成物。」とあるのを
「　水と、ワックスエステルと、その他の化粧料に配合される成分の１種以上とからなる固型状の水中油型化粧料用組成物であって、組成物の総重量基準で、
（Ａ） 構成部分として、Ｃ１８−３４の高級脂肪酸に由来する部分とＣ１８−４４の高級脂肪アルコールに由来する部分を有する、１種以上のワックスエステル０.１〜１０.０重量％、
（Ｂ） １種以上の両性界面活性剤０.５〜１０.０重量％、ならびに
（Ｃ） １種以上のＣ６−３４の高級脂肪酸０.１〜２.０重量％
を含んでなり、かつ
５０℃以下の温度において流動性を示さない、化粧料用組成物。」と訂正し、
訂正事項ｃ
　請求項６の「…アミドフルフォベタイン型…」を
「…アミドスルフォベタイン型…」と訂正し、
訂正事項ｄ
　請求項７が
「　水と、ワックスエステルと、その他の化粧料に配合される成分の１種以上とからなる水中油型固型化粧料であって、組成物の総重量基準で、
（Ａ） 構成部分として、Ｃ１８−３４の高級脂肪酸に由来する部分とＣ１８−４４の高級脂肪アルコールに由来する部分を有する、１種以上のワックスエステル０.１〜１０.０重量％、
（Ｂ） １種以上の両性界面活性剤０.５〜１０.０重量％、
（Ｃ） １種以上のＣ６−３４の高級脂肪酸０〜１０.０重量％、ならびに
（Ｄ） その他の化粧料に成分として、シリコーン油、エステル油（または半固型ワックスエステル）、高級アルコール類、水溶性高分子類、エチレングリコールまたはグリセロールの脂肪酸エステル類、酸化チタンおよび球状粉末からなる群より選ばれる１種以上、
を含んでなる固型化粧料。」とあるのを、
「　水と、ワックスエステルと、その他の化粧料に配合される成分の１種以上とからなる水中油型固型化粧料であって、組成物の総重量基準で、
（Ａ） 構成部分として、Ｃ１８−３４の高級脂肪酸に由来する部分とＣ１８−４４の高級脂肪アルコールに由来する部分を有する、１種以上のワックスエステル０.１〜１０.０重量％、
（Ｂ） １種以上の両性界面活性剤０.５〜１０.０重量％、
（Ｃ） １種以上のＣ６−３４の高級脂肪酸０〜１０.０重量％、ならびに
（Ｄ） その他の化粧料に配合される成分として、シリコーン油、エステル油（または半固型ワックスエステル）、高級アルコール類、水溶性高分子類、エチレングリコールまたはグリセロールの脂肪酸エステル類、酸化チタンおよび球状粉末からなる群より選ばれる１種以上、
を含んでなり、かつ
　５０℃以下の温度において流動性を示さない、固型化粧料。」と訂正するものである。
　　
(b)訂正の目的の適否、拡張・変更の存否、及び新規事項の追加の有無
　上記訂正事項ａは、化粧料用組成物の形態を「固型状」と限定し、「５０℃以下の温度において流動性を示さない、」を追加するものであるが、形態について限定のない化粧料の形態を限定し、組成物の性状を説明するものであるので、特許請求の範囲の減縮又は明りょうでない記載の減縮に該当する。そして、願書に添付した明細書（以下、特許明細書という。）に「本発明は、水中油型化粧料用組成物に関し、より具体的には、…リップステック等に適する水中油型固型組成物に関する。」（１頁５〜７行）、「本発明の目的は、水中油型の乳液やクリームが有する「みずみずしさ」、「さっぱりさ」および「べたつきのなさ」という使用感触を示すと共に、携帯性や使用勝手が優れた固型状化粧料として有利に使用できる組成物を提供することにある。」（３頁１〜４行）及び「本発明で用いる「固型」または「固型状」の語は、５０℃以下の温度において、組成物または成分が流動性を示さず、通常の、またかりに誤った使用および保管条件下においても著しい変形を示さない状態にあることを意味する。」（４頁９〜１２行）と記載されており、特許明細書の記載された範囲内のものである。
　訂正事項ｂは、訂正事項ａについて上述した理由により、特許明細書に記載された範囲内のものであって、特許請求の範囲の減縮及び明りょうでない記載の釈明に該当する。
　訂正事項ｃは、「アミドフルホベタイン」との物質は存在せず、特許明細書９頁に記載の一般式と照らしてみれば、「アミドスルフォベタイン」の誤記であることは明らかであるので、誤記の訂正に該当する。
　訂正事項ｄのうち、「（Ｄ）その他の化粧料に成分として」を「（Ｄ）その他の化粧料に配合される成分として」との訂正は、請求項７に係る発明における「水と、ワックスエステルと、その他の化粧料に配合される成分の１種以上とからなる水中油型固型化粧料」の記載から、水中油型固型化粧料に含有されるその他の化粧料に配合される成分を規定していることが明らかであるから、「（Ｄ）その他の化粧料に成分として」は「その他の化粧料に配合される成分として」の誤記と認められ、また、「…含んでなり、かつ５０℃以下の温度…」の訂正は訂正事項ａにおいて述べた理由から明りょうでない記載の釈明に該当する。
　したがって、訂正事項ｄは、特許明細書に記載された範囲内のものであって、誤記の訂正及び明りょうでない記載の釈明に該当する。
　また、これらの訂正は、実質上特許請求の範囲を拡張し、また、変更するものでもない。
　以上のとおりであるから、上記訂正請求は、特許法第１２０条の４第２項及び同条第３項で準用する第１２６条第２〜３項の規定に適合するので、当該訂正を認める。
　　　　
３．特許異議申立についての判断
（ア）異議申立の概要
　　特許異議申立人は、甲第１号証（特開平３−１０１８２７号公報）、甲第２号証（特開平６−６５５９６号公報）、甲第３号証（ハンドブック−化粧品・製剤原料−改訂版、日光ケミカルズ株式会社及び日本サーファクタント工業株式会社、昭和５２年発行、１６〜２５頁、３４４〜３４５頁）、甲第４号証（府瀬川健蔵監修「ワックスの性質と応用」第２版、昭和６０年、幸書房発行、６〜９，１４〜１９行）及び甲第５号証（化粧品原料辞典、平成３年、日光ケミカルズ株式会社、日本サーファクタント工業株式会社、東色ピグメント株式会社発行、４０１頁）を提出して、本件請求項１、２及び４〜１１に係る発明は、特許法第２９条第１項第３号又は同第２９条第２項の規定に違反して特許されたものであり、請求項１〜６に係る発明は特許法第３６条第４項又は第６項（第４号を除く）の規定にする要件を満たしていない特許出願に対して特許された旨主張している。
（イ）本件特許発明
　本件特許の請求項１〜１１に係る発明は訂正後の特許請求の範囲に記載されたとおりのと認められる。
　　
（ウ）証拠の記載
　甲第１号証には、主として化粧品に用いられる乳化組成物に関する発明が記載されており、その目的は皮膚に対する安全性に優れ、乳化の安定性がよく、さらに製品ののび、つや等の官能面でも申し分のない乳化組成物を提供すること（１頁右下欄〜２頁左上欄）であり、実施例２には、クリームの処方例が
Ａ流動パラフィン                                            １０.７
　ミリスチン酸オクチルドデシル　　　　　　　　　　　　　　　　３.０
　ホホバ油　　　　　　　　　　　　　　　　　　　　　　　　　　２.０
　ラノリン　　　　　　　　　　　　　　　　　　　　　　　　　　２.０
　セタノール　　　　　　　　　　　　　　　　　　　　　　　　　２.０
　パルミチン酸　　　　　　　　　　　　　　　　　　　　　　　　４.０
　水素添加レシチン　　　　　　　　　　　　　　　　　　　　　　３.０
　酸化防止剤　　　　　　　　　　　　　　　　　　　　　　　　　０.２
Ｂ精製水　　　　　　　　　　　　　　　　　　　　　　　　　　５３.２
　コンキオリン加水分解物利用アミノ酸（含むペプチド）
　ショ糖ココナッツ脂肪酸エステル　　　　　　　　　　　　　　　２.０
　Ｌ−アルギニン　　　　　　　　　　　　　　　　　　　　　　　０.２
　１,３−ブチレングリコール　　　　　　　　　　　　　　　　　 ７.０
　プロピレングリコール　　　　　　　　　　　　　　　　　　　　５.０
　パラオキシ安息香酸メチル　　　　　　　　　　　　　　　　　　０.２
Ｃ胎盤抽出液　　　　　　　　　　　　　　　　　　　　　　　　　５.０
Ｄ香料　　　　　　　　　　　　　　　　　　　　　　　　　　　　０.５
　ＡとＢそれぞれを計量し、約８０℃に加温し、Ｂを攪拌しつつ、Ａを徐々に加えて約６０℃になったらＣとＤを加えて室温まで冷却すると記載されている。そして、他に乳液の処方例が記載されているが、固型状の組成物については言及されていない。
　甲第２号証には、両性界面活性剤及び／又は半極性界面活性剤と高級脂肪酸とからなる新規複合体が広範囲の所要ＨＬＢを持つ油分に対しても優れた乳化力を発揮し、乳化型を用意にコントロールでき、しかも、安定かつ皮膚に対する刺激の低い乳化物を形成できる乳化剤であること（【００１２】〜【００１４】）、及び実施例１３にＯ／Ｗ（水中油）型のクレンジングクリームの処方例として
　　　　　　＜配合組成＞　　　　　　　　　　　　　　（重量％）
ラウリルジメチルアミノアミノ酢酸ベタイン　　　　　　　２
ステアリン酸　　　　　　　　　　　　　　　　　　　　　２
流動パラフィン　　　　　　　　　　　　　　　　　　　２８
セタノール　　　　　　　　　　　　　　　　　　　　　　２
ミツロウ　　　　　　　　　　　　　　　　　　　　　　　２
　　　　……
精製水　　　　　　　　　　　　　　　　　　　　　　　残　余
が記載されている。　　
　甲第３号証には、ミツロウの組成として、エステルが７１％でそのうちセロチン酸ミリシル（Ｃ２５Ｈ５１ＣＯＯＣ３０Ｈ６１）を１２重量％含んでいること（２３頁）及びレシチンが両性界面活性剤であること（３４４頁）が記載されている。
　甲第４号証には、キャンデリラワックスに含まれるロウエステルは炭素数が２０、３０及び３２の脂肪酸成分と、炭素数３０及び３２のアルコール成分を主に含むことが開示されている。
　甲第５号証には、ホホバ油が、Ｃ３４〜Ｃ５０のロウエステルを９５％以上含むこと、及びロウエステル中のアルコールはＣ２０、Ｃ２２、Ｃ２４であり、かつ脂肪酸はＣ１８、Ｃ２０、Ｃ２２である無色〜淡黄色の透明液体である旨が記載されている。
　
（エ）特許法第２９条第１項第３号について
（ｉ）請求項１について
　請求項１に係る発明と甲第１号証に記載のものと対比する。
　ホホバ油はＣ３４〜Ｃ５０のロウエステルを９５％以上含むこと、及びロウエステル中のアルコールはＣ２０、Ｃ２２、Ｃ２４であること、かつ脂肪酸はＣ１８、Ｃ２０、Ｃ２２（甲第５号証）であること、レシチンは両性界面活性剤（甲第３号証）であり、その水素添加物である水素添加レシチンも両性界面活性剤であることが明らかであること、及び甲第１号証のクリームの製法は加温した水性成分Ａ中に油性成分Ｂを加えているのであるから、製造された組成物は水中油型の乳化組成物であると認められる。つまり、甲第１号証には、水５３.２重量％と、Ｃ１８−２２の脂肪酸に由来する部分とＣ２２−２４の高級脂肪アルコールに由来する部分を有するワックスエステル２.０重量％と、両性界面活性剤である水素添加レシチン３.０重量％、Ｃ１６の高級脂肪酸であるパルミチン酸４.０重量％、Ｃ１６の高級アルコールであるセタノール２.０重量％含有する水中油型乳化組成物である化粧料としてのクリーム又は乳液が記載され、固型状の組成物は記載されていないものと認められる。
　そうすると、両者は水と、ワックスエステル少なくとも２.０×０.９５＝１.９重量％と、両性界面活性剤３.０重量%を含んでなる水中油型化粧料用組成物である点で一致しているが、乳化組成物の形態について前者は固型状の、また、５０℃以下の温度において流動性を示さないことを必須の要件とするものであるのに対して、後者は固型状でない点で相違する。
　したがって、甲第１号証に記載の乳化組成物は固型状のものは記載されていないので、請求項１に係る発明は甲第１号証に記載されたものではない。
　次に、請求項１に係る発明と甲第２号証と対比する。
　甲第２号証の実施例１３の水中油型クレンジングクリームは、両性界面活性剤であるラウリルジメチルアミノアミノ酢酸ベタインを２重量％、Ｃ１８の高級脂肪酸であるステアリン酸を２重量％、Ｃ１６の高級アルコールであるセタノールを２重量％、Ｃ２６の高級脂肪酸に由来する部分とＣ３０の高級脂肪アルコールに由来する部分を有するセロチン酸ミリシルを含有するミツロウを２重量％（ワックスエステルとして少なくとも０.７１×０.１２×２＝０.１７重量％）、及び水を含有するものであるから、両者は水と、Ｃ２６の高級脂肪酸に由来する部分とＣ３０の高級脂肪アルコールに由来する部分を有するワックスエステル０.１７重量％と、両性界面活性剤２重量％含有する水中油型化粧料用組成物である点で一致し、前者は化粧料用組成物の形態が固型状であるのに対して、後者はクリーム状である点で相違する。
　したがって、請求項１に係る発明は甲第２号証に記載されたものではない。　
　
（ii）請求項６〜１１に係る発明について
　請求項６〜１１に係る発明は、請求項１に係る発明の両性界面活性剤を限定するか、又は（Ｃ）高級脂肪酸、及び（Ｄ）その他の化粧料に配合される成分を限定するものであるから、甲第１号証又は甲第２号証に記載されたものではない。
　　
（オ）特許法第２９条第２項について
（ｉ）請求項１に係る発明について
　請求項１に係る発明と甲第１号証に記載のものと対比すると、（エ）（ｉ）で述べたように、組成物の形態が前者は固型状であるのに対して、後者は固型状であることが記載されてない点で相違し、その余の点は一致する。
　そこで、その点を検討すると、甲第２〜甲第５号証にはクリーム状、乳液状の化粧料用組成物又はエステルワックス、レシチンに関する記載があるのみで、いずれにも固型状の水中油型化粧料用組成物は記載されていない。
　そうすると、甲第１号証に記載の化粧料に甲第２〜５号証の記載の事項を組合わせても、固型状の水中油型化粧料を当業者が容易に想到できるものとは認められない。
　ところで、請求項１に係る発明は、該エステルワックスと両性界面活性剤の配合量を限定し、固型状とすることによって、特許明細書に記載されているように、従来の固型状化粧料では得られない「みずみずしさ」、「さっぱりさ」及び「べたつきのなさ」という使用感触を示すと共に、携帯性や使用勝手が優れた効果を奏するものである。
　したがって、請求項１に係る発明は、甲第１〜５号証に記載された発明に基づいて当業者が容易に発明をすることができたものではない。
（ii）請求項２及び請求項４〜１１に係る発明について
　請求項２及び請求項４〜１１に係る発明は、請求項１に係る発明の両性界面活性剤を限定するか、又は（Ｃ）高級脂肪酸、及び（Ｄ）その他の化粧料に配合される成分を限定するものであるから、上記（ｉ）に述べた理由から明らかなように、甲第１〜５号証に記載された発明に基づいて当業者が容易に発明をすることができたものであるとはいえない。
（カ）特許法第３６条について
　請求項１〜６に係る発明は、「水中油型化粧料組成物」とその形態を固型状に限定されていないが、発明の詳細な説明に記載された発明は固型状のものであり、発明の詳細な説明に記載された発明の範囲を超えているから、特許法第３６条第４項又は第６項（第４号を除く）に規定する要件を満たいていない旨主張している。
　しかし、請求項１〜６は、上記訂正により「固型状の」水中油型化粧料用組成物と訂正されたか、又は訂正された請求項を引用しているので、明細書の不備は解消した。
　したがって、本件特許は特許法第３６条第４項又は第６項（第４号を除く）に規定する要件を満たす特許出願に対してされたものである。
　　
４．むすび
　以上のとおりであるから、特許異議申立の理由及び証拠によっては、本件請求項１〜１１に係る発明の特許を取り消すことはできない。
　また、他に取り消すべき理由を発見しない。
　よって、結論のとおり決定する。
【異議決定日】
平成１２年１１月１０日（２０００．１１．１０）
【訂正の要旨】
訂正事項ａ
　特許請求の範囲の減縮及び明りょうでない記載の釈明を目的として、特許請求の範囲の請求項１が
「　水と、ワックスエステルと、その他の化粧料に配合される成分の１種以上とからなる水中油型化粧料用組成物であって、組成物の総重量基準で、
（Ａ）　構成部分として、Ｃ１８−３４の高級脂肪酸に由来する部分とＣ１８−４４の高級脂肪アルコールに由来する部分を有する、１種以上のワックスエステル０．１〜１０．０重量％、ならびに
（Ｂ）　１種以上の両性界面活性剤０．５〜１０．０重量％を含んでなる化粧料用組成物。」とあるのを
「　水と、ワックスエステルと、その他の化粧料に配合される成分の１種以上とからなる固型状の水中油型化粧料用組成物であって、組成物の総重量基準で、
（Ａ）　構成部分として、Ｃ１８−３４の高級脂肪酸に由来する部分とＣ１８−４４の高級脂肪アルコールに由来する部分を有する、１種以上のワックスエステル０．１〜１０．０重量％、ならびに
（Ｂ）　１種以上の両性界面活性剤０．５〜１０．０重量％を含んでなり、かつ５０℃以下の温度において流動性を示さない、化粧料用組成物。」と訂正し、
訂正事項ｂ
　特許請求の範囲の減縮及び明りょうでない記載の釈明を目的として、請求項２が
「　水と、ワックスエステルと、その他の化粧料に配合される成分の１種以上とからなる水中油型化粧料用組成物であって、組成物の総重量基準で、
（Ａ）　構成部分として、Ｃ１８−３４の高級脂肪酸に由来する部分とＣ１８−４４の高級脂肪アルコールに由来する部分を有する、１種以上のワックスエステル０．１〜１０．０重量％、
（Ｂ）　１種以上の両性界面活性剤０．５〜１０．０重量％、ならびに
（Ｃ）　１種以上のＣ６−３４の高級脂肪酸０．１〜２．０重量％
を含んでなる化粧料用組成物。」とあるのを
「　水と、ワックスエステルと、その他の化粧料に配合される成分の１種以上とからなる固型状の水中油型化粧料用組成物であって、組成物の総重量基準で、
（Ａ）　構成部分として、Ｃ１８−３４の高級脂肪酸に由来する部分とＣ１８−４４の高級脂肪アルコールに由来する部分を有する、１種以上のワックスエステル０．１〜１０．０重量％、
（Ｂ）　１種以上の両性界面活性剤０．５〜１０．０重量％、ならびに
（Ｃ）　１種以上のＣ６−３４の高級脂肪酸０．１〜２．０重量％
を含んでなり、かつ
５０℃以下の温度において流動性を示さない、化粧料用組成物。」と訂正し、
訂正事項ｃ
　誤記の訂正を目的として、請求項６の「…アミドフルフォベタイン型…」を「…アミドスルフォベタイン型…」と訂正し、
訂正事項ｄ
　明りょうでない記載の釈明及び誤記の訂正を目的として、請求項７が
「　水と、ワックスエステルと、その他の化粧料に配合される成分の１種以上とからなる水中油型固型化粧料であって、組成物の総重量基準で、
（Ａ）　構成部分として、Ｃ１８−３４の高級脂肪酸に由来する部分とＣ１８−４４の高級脂肪アルコールに由来する部分を有する、１種以上のワックスエステル０．１〜１０．０重量％、
（Ｂ）　１種以上の両性界面活性剤０．５〜１０．０重量％、
（Ｃ）　１種以上のＣ６−３４の高級脂肪酸０〜１０．０重量％、ならびに
（Ｄ）　その他の化粧料に成分として、シリコーン油、エステル油（または半固型ワックスエステル）、高級アルコール類、水溶性高分子類、エチレングリコールまたはグリセロールの脂肪酸エステル類、酸化チタンおよび球状粉末からなる群より選ばれる１種以上、
を含んでなる固型化粧料。」とあるのを、
「　水と、ワックスエステルと、その他の化粧料に配合される成分の１種以上とからなる水中油型固型化粧料であって、組成物の総重量基準で、
（Ａ）　構成部分として、Ｃ１８−３４の高級脂肪酸に由来する部分とＣ１８−４４の高級脂肪アルコールに由来する部分を有する、１種以上のワックスエステル０．１〜１０．０重量％、
（Ｂ）　１種以上の両性界面活性剤０．５〜１０．０重量％、
（Ｃ）　１種以上のＣ６−３４の高級脂肪酸０〜１０．０重量％、ならびに
（Ｄ）　その他の化粧料に配合される成分として、シリコーン油、エステル油（または半固型ワックスエステル）、高級アルコール類、水溶性高分子類、エチレングリコールまたはグリセロールの脂肪酸エステル類、酸化チタンおよび球状粉末からなる群より選ばれる１種以上、
を含んでなり、かつ
　５０℃以下の温度において流動性を示さない、固型化粧料。」と訂正するものである。
（５４）【発明の名称】
水中油型化粧料用組成物
（５７）【特許請求の範囲】
　　【請求項１】　　水と、ワックスエステルと、その他の化粧料に配合される成分の１種以上とからなる
固型状の
　（Ａ）　構成成分として、Ｃ１８−３４の高級脂肪酸に由来する部分とＣ１８−４４の高級脂肪アルコールに由来する部分を有する、１種以上のワックスエステル０．１〜１０．０重量％、ならびに
　（Ｂ）　１種以上の両性界面活性剤０．５〜１０．０重量％
を含んでな
り、かつ
　
５０℃以下の温度において流動性を示さない、
　　【請求項２】　水と、ワックスエステルと、その他の化粧料に配合される成分の１種以上とからなる
固型状の
　（Ａ）　構成成分として、Ｃ１８−３４の高級脂肪酸に由来する部分とＣ１８−４４の高級脂肪アルコールに由来する部分を有する、１種以上のワックスエステル０．１〜１０．０重量％、
　（Ｂ）　１種以上の両性界面活性剤０．５〜１０．０重量％、ならびに
　（Ｃ）　１種以上のＣ６−３４の高級脂肪酸０．１〜２．０重量％
を含んでな
り、かつ
　
５０℃以下の温度において流動性を示さない
　　【請求項３】　成分（Ｃ）対成分（Ｂ）のモル比が、１：１５〜１：０８である請求の範囲第２項記載の組成物。
　　【請求項４】　成分（Ａ）が、構成部分としてＣ２６−３４の高級脂肪酸に由来する部分とＣ２８−４４の高級脂肪アルコールに由来する部分を有する１種以上のワックスエステルである請求の範囲第１項または第２項記載の組成物。
　　【請求項５】　成分（Ａ）が、キャンデリラロウ（Ｃａｎｄｅｌｉｌｌａ　ｗａｘ）に由来するワックスエステルである請求の範囲第１項または第２項記載の組成物。
　　【請求項６】　成分（Ｂ）が、アミドベタイン型、アミド
ス
　　【請求項７】　水と、ワックスエステルと、その他の化粧料に配合される成分の１種以上とからなる水中油型固型化粧料であって、組成物の総重量基準で、
　（Ａ）　構成成分として、Ｃ１８−３４の高級脂肪酸に由来する部分とＣ１８−４４の高級脂肪アルコールに由来する部分を有する、１種以上のワックスエステル０．１〜１０．０重量％、
　（Ｂ）　１種以上の両性界面活性剤０．５〜１０．０重量％、
　（Ｃ）　１種以上のＣ６−３４の高級脂肪酸０〜１０．０重量％、ならびに
　（Ｄ）　その他の化粧料に
配合される
を含んでな
り、かつ
　
５０℃以下の温度において流動性を示さない、
　　【請求項８】　シリコーン油がトリメチルシロキシケイ酸−デカスチルシクロペンタシロキサン、ジメチルポリシロキサンである請求の範囲第７項記載の固型化粧料。
　　【請求項９】　エステル油（または半固型ワックスエステル）が構成部分として、Ｃ８−２４の飽和もしくは不飽和高級脂肪酸に由来する部分とＣ１４−２４の飽和もしくは不飽和高級アルコールに由来する部分をもつエステル類の１種以上を含む成分である請求の範囲第７項記載の固型化粧料。
　　【請求項１０】　高級アルコール類が、Ｃ１６−２２の飽和脂肪アルコールまたは飽和脂肪エーテル−脂肪アルコールである請求の範囲第７項記載の固型化粧料。
　　【請求項１１】　水溶性高分子が、ヒドロキシエチルセルロース、ヒァルロン酸、高重合ポリエチレングリコール、キサンタンガム、ポリ（メタ）アクリル酸、メチルセルロース、ポリビニルアルコール、デキストラン硫酸、コンドロイチン硫酸、ポリビニルピロリドンおよびアラビアゴムからなる群より選ばれる１種以上からなる請求の範囲第７項記載の固型化粧料。
　　【請求項１２】　エチレングリコールまたはグリセロールの脂肪酸エステル類がＣ１８−３０の飽和脂肪酸のエチレングリコールジエステルまたはＣ１８−３０の飽和脂肪酸のトリグリセリルの１種以上からなるエステル類である請求の範囲第７項記載の固型化粧料。
　　【請求項１３】　酸化チタンが超微粒状、板状および針状酸化チタンの２種以上の組み合わせ物である請求の範囲第７項記載の固型化粧料。
　　【請求項１４】　球状粉末が、球状シリカ、球状ナイロン粉末、球状ポリアクリル酸アルキル、架橋ポリスチレン−スクワラン混合末、セルロース粉末、無水ケイ酸末、およびメチルシロキサン網状重合体末からなる群より選ばれる１種以上の粉末からなる請求の範囲第７項記載の固型化粧料。
【発明の詳細な説明】
技術分野
　本発明は、水中油型化粧料用組成物に関し、より具体的には、ファンデーション、アイシャドウ、およびリップステック等に適する水中油型固型組成物に関する。
背景技術
　従来より固型状化粧料のタイプとして、一般に用いられているものとしては、ワックスで油を固化させた固型油性タイプ、粉末または粉末と油剤の混合物をプレスした固型プレス状タイプ、特定の油性固化剤と疎水化処理粉末と水と親油性界面活性剤とからなる固型状油中水型乳化タイプ等があり、それぞれ化粧料の使用目的や使用方法に応じて使い分けがされている。
　これらのうち、特に固型状油中水型乳化タイプは、安定性と耐水性が良好で、さらにしっとりとした使用感触を有したもので、例えばシリコーン油と固型ワックスと水とをポリオキシアルキレン変性オルガノポリシロキサンを用いて乳化したものが知られている（特開昭６４−７９１０４号公報）。しかしながら、このような油中水型乳化タイプは外相に油分や油性固化剤を配合しているために、水中油型の乳液やクリームに比べ、「みずみずしさ」、「さっぱりさ」および「べたつきのなさ」という点で劣っている。
　また、水中油型乳化タイプを固めたものとしては、高級アルコールや粘土鉱物を多量に配合した例が知られている。しかし、この水中油型乳化タイプのものは多量に配合した前記成分のために本来水中油型の乳液やクリームが有する「みずみずしさ」「さっぱりさ」「べたつきのなさ」を失ったものとなっている。固型状の水中油型乳化タイプのその他の例としては、例えば、脂肪酸石けんによって外相の水を固化させたもの（特開平３−２７９３１９号公報）や、寒天のような水溶性固化剤とセルロース誘導体のような水溶性粘着剤とを併用して固化させたもの（特開平５−１７８７２３号、特開平７−１７８２８号公報）が知られている。しかし前者は、石けん分が多いためｐＨが高くなり、皮膚への刺激性および安全性上問題があり、また後者は充分な硬度が得られず、スポンジによる使用がしにくいという問題点があった。
　また、近年開発された乳化技術として、両性界面活性剤と高級脂肪酸とで水不溶性の複合体を形成し、この複合体が乳化の界面膜となって乳化安定性を確保する技術が知られているが（特願平３−１６６３６７号）、このような技術を用いても固型乳化タイプであって、かつ「みずみずしさ」、「さっぱりさ」および「べたつきのなさ」を有するものを得ることは困難であった。
　一方、一般的に乳液やクリームは０℃〜５０℃の範囲で流動性があり、そのために瓶、またはチューブという容器形態になり、携帯性や使用勝手の面で若干劣るものであり、特にファンデーションの場合にはそれが顕著であった。
　このような背景により、携帯性や使用勝手が良い固型状で、なおかつ、乳液やクリームが有する「みずみずしさ」、「さっぱりさ」および「べたつきのなさ」という使用感触を兼ね備えた固型状乳化組成物は得られていないのが実情であった。
　従って、本発明の目的は、水中油型の乳液やクリームが有する「みずみずしさ」、「さっぱりさ」および「べたつきのなさ」という使用感触を示すと共に、携帯性や使用勝手が優れた固型状化粧料として有利に使用できる組成物を提供することにある。
発明の開示
　本発明者らは、上記目的を達成すべく研究を重ねたところ、特定のワックスエステルと、両性界面活性剤との組み合わせて使用するか、或いは、前記両成分に高級脂肪酸をさらに組み合わせ使用すると、安定かつ使用感触に優れた固型状の水中油型乳化組成物が得られることを見い出した。こうして得られる組成物は、例えば、従来の水中油型固型化粧料に含められる水溶性固化剤も水溶性粘着剤をも使用しないのにもかかわらず、上記のような極めて優れた物性を示す。
　従って、本発明によれば、水と、ワックスエステルと、その他の化粧料に配合される成分の１種以上とからなる水中油型化粧料用組成物であって、組成物の総重量基準で、
　（Ａ）　構成部分として、Ｃ１８−３４の高級脂肪酸に由来する部分とＣ１８−４４の高級脂肪アルコールに由来する部分を有する、１種以上のワックスエステル０．１〜１０．０重量％、ならびに
　（Ｂ）　１種以上の両性界面活性剤０．５〜１０．０重量％
を含んでなる化粧料用組成物。
が提供される。
　また、前記（Ａ）成分および（Ｂ）成分に加えて、（Ｃ）成分として１種以上のＣ６−３４の高級脂肪酸を一定量含んでなる化粧料用組成物も提供される。
　さらにまた、前記（Ａ）成分および（Ｂ）成分、または（Ａ）成分、（Ｂ）成分および（Ｃ）成分に、その他の成分として、該当技術分野で使用されうる、シリコーン油、エステル油（または半固型ワックスエステル）、高級アルコール類、水溶性高分子類、エチレングリコールまたはグリセロール脂肪酸エステル類、酸化チタンおよび球状粉末からなる群より選ばれる１種以上を、目的に応じて、含めた、固型化粧料も提供される。
発明を実施するための最良の形態
　本発明で用いる「固型」または「固型状」の語は、５０℃以下の温度において、組成物または成分が流動性を示さず、通常の、またかりに誤った使用および保管条件下においても著しい変型を示さない状態にあることを意味する。具体的には、一定形状の組成分または成分から指またはスポンジもしくはパフ等を用いてそれらの所望量をとることができ、それらの残余部はほぼもとの形態を維持することができる硬度を有しているような状態にあることを意味する。
　より具体的には、かかる硬度は、３７℃において当該技術分野で常用されている硬度計（レオメーター）を使用して測定した場合に、下記式で示される硬度（γ）が７以上であることを要する。
　式中、
　　Ｇ：測定応力（ｇｒ）×９８０ｄｙｎ
　　Ｌ：サンプルの厚み（ｍｍ）
　　ｌ：圧縮距離（ｍｍ）
　　ａ：針の断面積（ｃｍ２）
　（測定条件）
　　負荷重：２ｋｇ
　　針の径：５．６φ
　　針入速度：２ｃｍ／ｍｉｎ
　　針入距離：１ｍｍ
　　測定温度：３７℃
　一方、本発明の目的上、本発明に従う組成物は、それを構成する各成分を均一に混和または乳化することができるように５０℃を超える温度で適度の流動性を有することが好ましい。
　以下、本明細書では、主として、ファンデーションヘの本発明の組成物の使用を念頭において説明を行うが、当業者であれば、上記の硬度を指標にすれば、目的に応じて他の組み合わせを選ぶことも容易であろう。従って、本発明は以下の限定的な説明によって制限されるものでない。
　本発明で使用するワックスエステルは、常温でワックス状にあり、Ｃ１８−３４の高級（または長鎖）脂肪酸に由来する部分とＣ１８−４４の高級（または長鎖）脂肪アルコールから構成されるカルボン酸エステルである。これらの脂肪酸および脂肪アルコールの脂肪族基は直鎖または分枝鎖のいずれであって、飽和または不飽和脂肪族基のいずれであってもよいが、実用的な観点からは飽和脂肪族基からなるものを選ぶのが好ましい。
　ワックスエステルを構成するＣ１８−３４の高級脂肪酸は、具体的にはＣ１８のオクタデカン酸（ステアリン酸）Ｃ２０のイコサン酸（アラキジン酸）、Ｃ２２のドコサン酸（べヘン酸）、Ｃ２４のテトラコサン酸（リグノセリン酸）、Ｃ２６のヘキサコサン酸（セロチン酸）、Ｃ２８のオクタコサン酸（モンタン酸）、Ｃ３０のトリアコンタン酸（メリシン酸）、Ｃ３２のドトリアコンタン酸、Ｃ３４のテトラトリコンタン酸などの各種天然ろう成分としてそれ自体かまたはエステルの形態で含まれるものを挙げることができる。なお、以上のカッコ内の名称は慣用名である。
　上記の偶数炭素数の脂肪酸は、入手容易性の点で一般的であるが、Ｃ１９のノナテカン酸（ノナデシル酸）、Ｃ３３のトリトリアコンタン酸などの寄数炭素数の脂肪酸も、それらが入手できる限り前記炭素数の脂肪酸から排除されない。また、脂肪族基は分枝していてもよく、例えば、ラノリンの脂肪酸組成中に含まれるＣ１８−３２のイソ脂肪酸（偶数炭素）の少なくとも１種、およびＣ１９−３３のアンチイソ脂肪酸も、本発明にいうワックスエステルを構成する脂肪酸に含まれる。
　またさらに、これらのワックスエステルを構成する脂肪酸には、前記炭素数を有する不飽和脂肪酸の水素添加したもの、または、前記脂肪酸に対応するヒドロキシ脂肪酸の低級アルキル、例えば、メチル、エチル、プロピル、によるエーテル化されたものをも包含される。
　これらのうち、より一般的なものとしては、例えば、なたねろうのワックスエステルを構成するＣ２２のべヘン酸、米ぬか油ろうのワックスエステルを構成するＣ２４のリグノセリン酸（カルナウバろうにも多く含まれる）、ラノリンのワックスエステルを構成するＣ２６のセロチン酸、セラックろうのワックスエステルを構成するＣ２８のモンタン酸、キャンデリラろうのワックスエステルを構成するＣ３０のメリシン酸およびＣ３２のドトリアコンタン酸、セラックろうのワックスエステルを構成するＣ３４のテトラトリアコンタン酸を本発明のワックスエステルを構成する脂肪酸として挙げることができる。
　一方、ワックスエステルを構成するＣ１８−４４の高級脂肪アルコールとしては、前記脂肪酸に対応するアルコール、例えば、Ｃ１８のステアリルアルコール、Ｃ２０のイコサノール、Ｃ２２のドコサノール、Ｃ２４のテトラコサノール、Ｃ２６のヘキサコサノール、Ｃ２８のオクタコサノール、Ｃ３０のミリシルアルコール、Ｃ３２のラッセロール、Ｃ３４のテトラトリアコンタノールなど、さらにはＣ４４のテトラテトラコンタノールが一般的なものとして挙げられる。また、分枝アルコール、例えば、１６−メチルオクタデカノール、１８−メチルノナデカノール、１８−メチルイコサノール、２０−メチルヘンイコサノール、２０−メチルドコサノール、２２−メチルトリコサノール、２４−メチルペンタコサノールなどの主として、ラノリンに見い出されるものも包含される。また、上記炭素数をもつアルコールであれば、化学合成によって得られる多種多様のものも前記高級脂肪アルコールに包含される。
　従って、本発明で使用するワックスエステルには、Ｃ１８−３４の高級脂肪酸の１種とＣ１８−４４の高級脂肪アルコールの１種との任意の組み合わせからなるもののすべてが包含される。このようなワックスエステルは、２種以上の混合物であってもよい。
　一般的に、かかるワックスエステルは、天然ろう成分、例えば、キャンデリラろう（Ｃａｎｄｅｌｉｌｌａ　ｗａｘ）、カルナウバろう（Ｃａｒｎａｕｂａ　ｗａｘ）、ホホバ油（Ｊｏｊｏｂａ　ｏｉｌ）、ラノリン（Ｌａｎｏｌｉｎ）、モンタンろう（Ｍｏｎｔａｎ　ｗａｘ）、ライスワックス（Ｒｉｃｅ　ｗａｘ）などに由来する高級脂肪酸と、またこれらのワックス類に由来する高級脂肪アルコールとから構成されるものが都合よく使用できる。これらの脂肪酸に由来する部分とアルコールに由来する部分からなるワックスエステルは、個々の脂肪酸とアルコールから合成されるエステルであってもよいが、前記ワックス類から抽出等によって分離されたものであってもよい。
　具体的なワックスエステルとしては、例えばキャンデリラろう、カルナウバろう、ホホバ油、またはモンタンろう由来のＣ２０脂肪酸−Ｃ２０アルコール、Ｃ２０脂肪酸−Ｃ３０アルコール、Ｃ２４脂肪酸−Ｃ２８アルコール、Ｃ２４脂肪酸−Ｃ３０アルコール、Ｃ２４脂肪酸−Ｃ３２アルコール、Ｃ２６脂肪酸−Ｃ３０アルコール、Ｃ２６脂肪酸−Ｃ３２アルコール、Ｃ２８脂肪酸−Ｃ２４アルコール、Ｃ２８脂肪酸−Ｃ２８アルコール、Ｃ２８脂肪酸−Ｃ３０アルコール、Ｃ３０脂肪酸−Ｃ２８アルコール、Ｃ３−脂肪酸−Ｃ３０アルコール、Ｃ３０脂肪酸−Ｃ３２アルコール、Ｃ３２脂肪酸−Ｃ３０アルコール、Ｃ３２脂肪酸−Ｃ３２アルコール、Ｃ３４脂肪酸−Ｃ３０アルコール、Ｃ３４脂肪酸−Ｃ３２アルコール、などのいずれの組み合わせからなるものであってもよい。また、当然に前記組み合わせからなるエステルは化学合成されたものであっても、天然ろうからの抽出されたものであってもよい。
　化学合成により得られるものであって、本発明のワックスエステルに包含される市販のものとしては、例えば、ラノリンの脂肪酸と２−オクチルドデシルアルコールとの反応生成物であるクロダモルＯＤＬ［ＣＲＯＤＡＭＯＬ　ＯＤＬ、商品名、クローダジャパン（株）］を挙げることができる。
　また、前記天然ワックスのうち、本発明の目的上、悪影響を及ぼさない組成からなるものは、そのまま、本発明のワックスエステル成分と一緒に使用することができる。悪影響を及ぼさない組成とは、例えば、カルナウバろうのように、過度のヒドロキシエステルを含むものは、組成物の乳化時の分離を起こしたり、固化し難い傾向を有するので、そのまま使用することには注意が必要である。
　本発明で使用できる両性界面活性剤は、通常の化粧品基剤等に用いられる両性界面活性剤のであればいずれでもよい。具体例を挙げるならば、
　次式
で表されるアミドベタイン型両性界面活性剤［市販品としてレボン２０００（三洋化成製）、アノンＢＤＦ（日本油脂製）等が該当］、
　次式
で表されるアミドスルフォベタイン型両性界面活性剤［市販品としてロンザイン−ＣＳ（ロンザ製）、ミラダインＣＢＳ（ミラノール製）等が該当］、
　次式
で表されるベタイン型両性界面活性剤［市販品としてアノンＢＬ（日本油脂製）、デハイントンＡＢ−３０（ヘンケル製）等が該当］、
　次式
で表されるスルフォベタイン型両性界面活性剤［市販品としてロンザイン１２ＣＳ（ロンザ製）等が該当］、
　次式
で表されるイミダゾリニウム型両性界面活性剤［市販品としてオバゾリン６６２−Ｎ（東邦化学製）、アノンＧＬＭ（日本油脂製）等が該当］等が挙げられる。
　本発明の水中油型化粧料用組成物には、その総重量基準で、一般に、前記ワックスエステル０．１〜１０．０重量％、好ましくは１．０〜５．０重量％と、一般に両性界面活性剤０．５〜１０．０重量％、好ましくは、０．５〜１．５重量％が含められる。なお、ワックスエステルには、対応するヒドロキシワックスエステルが、ワックスエステルの総重量当たり４０重量％未満含まれていてもよい。これらのワックスエステルおよび両性界面活性剤は、それぞれ２種以上の混合物であってもよい。
　本発明の組成物中のワックスエステルの含有量が０．１重量％未満では固化しにくくなり、そして逆に、１０重量％を超えると、最終製品の「みずみずしさ」、「さっぱりさ」が低減し、「べたつき」が出てくる傾向がある。また、両性界面活性剤の組成物中の含有量が、０．５重量％未満では乳化しにくくなり、そして逆に１０．０重量％を超えると最終製品に安全性上の問題をもたらす可能性がある。
　本発明の組成物は、もう一つの主要成分として、Ｃ６−３４の高級脂肪酸を含む。このような脂肪酸の使用は、一般に本発明の化粧料用組成物の固型状態での安定性を高めるように作用する。このような脂肪酸の具体的なものとしては、前記ワックスエステルの構成成分として例示した高級脂肪酸の他に、例えば、Ｃ６のヘキサン酸（カプロン酸）Ｃ８のオクタン酸（カプリル酸）または２−エチルヘキサン酸、Ｃ１０のデカン酸（カプリン酸）、Ｃ１２のドデカン酸（ラウリン酸）、Ｃ１４のテトラデカン酸（ミリスチン酸）、Ｃ１６のヘキサデカン酸（パルミチン酸）を、一般的なものとして挙げることができるが、それぞれ炭素数が１個ずつ増加した奇数炭素数をもつ脂肪酸を排除するものでない。また、より長鎖の脂肪酸を使用する場合には、対応するヒドロキシ脂肪酸、例えば、１２−ヒドロキシステアリン酸も使用できるので、本発明にいう脂肪酸には、ヒドロキシ脂肪酸も包含される。
　本発明の水中油型化粧料用組成物には、その総重量基準で、一般に、０．１〜１０．０重量％、好ましくは０．１〜２．０重量％の高級脂肪酸を含めることができる。これらの高級脂肪酸は２種以上の混合物であってもよい。通常、前記高級脂肪酸含有量が０．１重量％未満では、乳化安定性が低減する場合があり、また逆に、１０．０重量％を超えると最終製品の使用安全性に問題が生じる可能性が高くなる。
　また、前記高級脂肪酸を含める場合には、高級脂肪酸／両性界面活性剤のモル比が１：１５〜１：０８になるように使用するのがよい。１：１５未満では乳化が困難な場合もあり、また１：０８を超えると、水中油型乳化組成物が形成できない場合がある。
　本発明の組成物には、さらにその他の化粧料に配合される後述する成分を１種以上含めることができる。
　例えば、固型状態の安定性の維持または使用感触を高めるのに役立つものとしては、天然ろう中に含まれる高級（長鎖）炭化水素類および物性的にそれらの同等物を挙げることができる。これらは、通常、５０℃を超える融点をもつものがよい。具体的なものとしては、例えば、ペンタコサン（Ｃ２５Ｈ５２）、ヘプタコサン（Ｃ２７Ｈ５６）、ヘントリアコンタン（Ｃ３１Ｈ６４）、ドトリアコンタン（Ｃ３２Ｈ６６）、スクアレン（Ｃ３０Ｈ５０）、などの、みつろう、カルナウバろう、キャンデリラろう、その他の動植物油に由来するもの、またその水素添加物、例えば、スタアレンの水素添加物スクアラン、などが挙げられる。
　これらの炭化水素類は、本発明の組成物の物性に悪影響を及ぼさない限り、前記ワックスエステルの使用量を超えて添加することができ、例えば、重量比でほぼ２倍量を超えて使用することもできる。
　従って、本発明の組成物には、例えば、キャンデリラろうそのものを使用することが好都合な場合もある。
　さらに、本発明の化粧料用組成物に、特定の目的、例えば、最終成形品の硬度の上昇、ひびわれ防止、水分の揮散防止の向上、或いは、使用の際の特定効能、例えば、紫外線防止、皮膚吸着性、または毛穴をかくし、きめを整える、などの作用を向上させるための成分を１種以上含めることができる。
　具体的なものとしては、シリコーン油、エステル油（半固型ワックスエステル）、高級アルコール、水溶性高分子、エチレングリコールまたはグリセロールの脂肪酸エステル類、酸化チタンおよび球状粉末が挙げられる。
　シリコーン油の具体的なものとしては、トリメチルシロキシケイ酸−デカスチルシクロペンタシロキサン、ジメチルポリシロキサンなどを挙げることができる。これらの成分は、単独でまたは混合物として、固型化粧料へ、その総重量基準で、一般に０．１〜４０重量％含めることができる。配合方法としては、通常、後述の調製時（実施例）の油相部に添加する。これらの成分の添加は、固型化粧料の硬度を上昇させるのに役立つ。
　エステル油（半固型ワックスエステル）の具体的なものとしては、エステル構成部分として、Ｃ８−２４の飽和もしくは不飽和高級脂肪酸に由来する部分とＣ１４−２４の飽和もしくは不飽和高級アルコールに由来する部分をもつエステル類を挙げることができる。脂肪酸部分を構成する脂肪酸には、対応する炭素数をもつ前述の飽和脂肪酸またはそれらに対応する不飽和脂肪酸が包含され、アルコール部も、対応する炭素数をもつ直鎖もしくは分枝鎖または飽和もしくは不飽和の長鎖炭化水素からなるアルコールが包含される。これらの脂肪酸部とアルコール部とから構成されるすべての脂肪酸エステルを使用することができる。使用量は、固型化粧料の総重量基準で、一般に０．０１〜３．０重量％であり、配合方法としては、通常、調製時の油相部に添加する。これらの成分の添加は、固型化粧料のひびわれ防止に役立つ。
　高級アルコールの具体的なものとしては、Ｃ１６−２２の飽和脂肪アルコールまたは飽和脂肪エーテル−脂肪アルコールが挙げられる。より具体的には、Ｃ１６のセチルアルコール、Ｃ１８のステアリルアルコール、Ｃ２２のべヘニルアルコール、Ｃ１８−Ｏ−Ｃ３−のバチルアルコールなどである。添加方法は、通常、前記油相へ加熱下で添加溶解させる。使用量は、固型化粧料の総重量基準で、一般に０．００５〜２．０重量％である。これらの成分も単独または混合物として使用することができ、通常、化粧料からの水分の揮散防止に役立つ。
　水溶性高分子の具体的なものとしては、ヒドロキシエチルセルロース、ヒアルロン酸、高重合ポリエチレングリコール、キサンタンガム、ポリ（メタ）アクリル酸、メチルセルロース、ポリビニルアルコール、デキストラン硫酸、コンドロイチン硫酸、ポリビニルピロリドンおよびアラビアゴム、ならびに造塩できる場合のこれらのアルカリ金属、例えばナトリウム、カリウムの塩などが挙げられる。これらの１種または２種以上の混合物を、一般に、固型化粧料の総重量基準で、０．００１〜３．０重量％含めるようにすると、固型化粧料からの水分の散揮を防止するのに役立つ。配合方法は、通常、化粧料調製時の水性相へ添加する。
　エチレングリコールまたはグリセロールの脂肪酸エステル類の具体的なものとしては、前述のＣ１８−３０の飽和脂肪酸のエチレングリコールジエステルまたはＣ１８−３０の飽和脂肪酸のトリグリセリルが挙げられる。特に、前者を使用するのが好ましく、その使用量は、固型化粧料の総重量基準で、０．００１〜５重量％とすることができ、場合によって、前述のワックスエステルの１部を代替することもできる。配合方法は、前記油相に添加し、約８０℃に加熱して溶解させる。これらの成分の添加は、通常、本発明の固型化粧料の硬度を上昇させるのに役立つ。
　酸化チタンの具体的なものとしては、超微粒状、板状および針状酸化チタンが挙げられ、通常、これらの形状の酸化チタンの１種又は２種以上の組み合わせ物が使用される。使用量は、固型化粧料の総重量基準で、通常、０．１〜２０重量％である。配合方法は、化粧料調製時に一般的な粉末部に含めて他の成分と混合される。これらの成分の添加は、固型化粧料の硬度を許容できる範囲内での低下をもたらす可能性があるものの、紫外線防止作用を向上させるのに役立つ。
　球状粉末の具体的なものとしては、球状シリカ、球状ナイロン粉末、球状ポリアクリル酸アルキル、架橋ポリスチレン−スクアラン混合末、セルロース粉末、無水ケイ酸末、およびメチルシロキサン網状重合体末が挙げられる。これらの１種以上を、固型化粧料の総重量基準で、一般に０．００５〜２０重量％含めることができる。これらの成分の添加は、少なくとも固型化粧料の使用の際の肌上の毛穴をかくし、きめを整えるか、或いは皮脂の吸着性を改善するのに役立つ。
　本発明の水中油型化粧料用組成物または固型化粧料には、さらにその他の化粧料に配合しうる成分を含めることができる。それらは、例えば、上述したもの以外の油分、保湿剤、分散剤、粉末、防腐剤、香料、薬剤、増粘剤、色素、顔料などである。
　本発明に従えば、得られる水中油型化粧料用組成物または固型化粧料は、安定な固型状を維持し、固型状でありながら、肌に塗布する際には、使用感触として水中油型の乳液やクリームと同様の「みずみずしさ」、「さっぱりさ」および「べたつきのなさ」を有し、さらに保管安定性にも優れている。
　以下、さらに具体例を挙げて、本発明を説明する。なお、以下の各例中の配合量は、特記しない限り、すべて（重量／重量）％で示す。
　　【実施例】
実施例１　水中油型乳化コンパクト（ファンデーション）
（１）デカメチルシクロペンタシロキサン　　　　　　１６．８
（２）ステアリン酸ステアリル　　　　　　　　　　　　５．０
（３）酸化鉄赤　　　　　　　　　　　　　　　　　　　１．０
（４）酸化鉄黄　　　　　　　　　　　　　　　　　　　３．０
（５）酸化鉄黒　　　　　　　　　　　　　　　　　　　０．２
（６）二酸化チタン　　　　　　　　　　　　　　　　１０．０
（７）カオリン　　　　　　　　　　　　　　　　　　　５．０
（８）タルク　　　　　　　　　　　　　　　　　　　２５．８
（９）１，３−ブチレングリコール　　　　　　　　　　３．０
（１０）メチルパラベン　　　　　　　　　　　　　　　０．２
（１１）イオン交換水　　　　　　　　　　　　　　　２５．０
（１２）２−アルキル−Ｎ−カルボキシメチル−Ｎ−ヒドロキシエチルイミダゾリニウムベタイン（純分３０％）　　　　　　　　　　　　　　　　　　　　　　　　　　　　５．０
調製法
　（１）、（２）を７０℃〜８０℃で撹拌溶解して油相部とし、（９）〜（１２）を７０℃〜８０℃で撹拌溶解して水相部とする。油相部に水相部を加えて乳化させ、あらかじめ撹拌混合しておいた（３）〜（８）を混合し、ファンデーション中皿に流し混み、冷却して乳化コンパクトを得た。このコンパクトはみずみずしく、さっぱりとしていて、べたつきのない使用性であった。
比較例１　水中油型乳化コンパクト（ファンデーション）
（１）デカメチルシクロペンタシロキサン　　　　　　１６．８
（２）ヒドロキシステアリン酸ステアリル　　　　　　　５．０
（３）酸化鉄赤　　　　　　　　　　　　　　　　　　　１．０
（４）酸化鉄黄　　　　　　　　　　　　　　　　　　　３．０
（５）酸化鉄黒　　　　　　　　　　　　　　　　　　　０．２
（６）二酸化チタン　　　　　　　　　　　　　　　　１０．０
（７）カオリン　　　　　　　　　　　　　　　　　　５．０
（８）タルク　　　　　　　　　　　　　　　　　　２５．８
（９）１，３−ブチレングリコール　　　　　　　　　３．０
（１０）メチルパラベン　　　　　　　　　　　　　　０．２
（１１）イオン交換水　　　　　　　　　　　　　　２５．０
（１２）２−アルキル−Ｎ−カルボキシメチル−Ｎ−ヒドロキシエチルイミダゾリニウムベタイン（純分３０％）　　　　　　　　　　　　　　　　　　　　　　　　　　　５．０
調製法
　実施例１と同様の方法により製造したところ、実施例１とは異なり、乳化時に分離を起こした。
実施例２　水中油型乳化コンパクト（ファンデーション）
（１）オクタメチルシクロテトラシロキサン　　　　　１３．６９
（２）ジメチルポリシロキサン（６ｃｓ）　　　　　　　５．０
（３）ホホバ油を完全水添したもの　　　　　　　　　　０．０７
（４）乳酸ステアリル　　　　　　　　　　　　　　　　０．０３
（５）セレシン　　　　　　　　　　　　　　　　　　　３．０
（６）デキストリン脂肪酸エステル処理酸化鉄赤　　　　１．０
（７）デキストリン脂肪酸エステル処理酸化鉄黄　　　　３．０
（８）デキストリン脂肪酸エステル処理酸化鉄黒　　　　０．２
（９）デキストリン脂肪酸エステル処理二酸化チタン　１０．０
（１０）デキストリン脂肪酸エステル処理セリサイト　　５．０
（１１）デキストリン脂肪酸エステル処理タルク　　　１０．８
（１２）ポリメチルメタクリレート球状粉末　　　　　１０．０
（１３）６，６−ナイロン　　　　　　　　　　　　　１０．０
（１４）プロピレングリコール　　　　　　　　　　　　３．０
（１５）ダイナマイトグリセリン　　　　　　　　　　　５．０
（１６）ヒアルロン酸　　　　　　　　　　　　　　　　０．０１
（１７）メチルパラベン　　　　　　　　　　　　　　　０．１
（１８）イオン交換水　　　　　　　　　　　　　　　１５．０
（１９）ヤシ油脂肪酸アミドプロピルベタイン（純分３０％）　５．０
（２０）香料　　　　　　　　　　　　　　　　　　　　０．１
調製法
　７０℃〜８０℃で油相部に粉末を撹拌混合し、水相部を加え、乳化した後、コンパクト中皿に流し込み、冷却して乳化コンパクトを得た。このコンパクトはみずみずしく、さっぱりとしていて、べたつきのない使用性であった。
　なお、ここで用いたデキストリン脂肪酸エステル処理粉末は、原料粉末９５重量％をデキストリン脂肪酸エステルの５重量％アイソパーＥ（エクソン化学社製）溶液に添加、撹拌し、脱溶媒し、乾燥、粉砕して得たものである。
実施例３　水中油型乳化ステックファンデーション
（１）デカメチルシクロペンタシロキサン　　　　　　　８．９
（２）スクワラン　　　　　　　　　　　　　　　　　　２．０
（３）フルオロカーボン　　　　　　　　　　　　　　　０．２
（４）ラノリン酸オクチルドデシル　　　　　　　　　　５．０
（５）ヒドロキシステアリン酸メチル　　　　　　　　　２．０
（６）ワセリン　　　　　　　　　　　　　　　　　　　３．０
（７）シリコーン処理酸化鉄赤　　　　　　　　　　　　１．０
（８）シリコーン処理酸化鉄黄　　　　　　　　　　　　２．５
（９）シリコーン処理酸化鉄黒　　　　　　　　　　　　０．２
（１０）マイカ　　　　　　　　　　　　　　　　　　　５．０
（１１）タルク　　　　　　　　　　　　　　　　　　　５．０
（１２）１，３−ブチレングリコール　　　　　　　　　５．０
（１３）ダイナマイトグリセリン　　　　　　　　　　１０．０
（１４）メチルパラベン　　　　　　　　　　　　　　　０．２
（１５）イオン交換水　　　　　　　　　　　　　　　２５．０
（１６）ラウリルジメチルアミノ酢酸ベタイン（純分４０％）　２５．０
調製法
　実施例１と同様の方法により製造し、スチックの型に流し込み冷却して乳化スチックファンデーションを得た。このスチックはみずみずしく、さっぱりとしていて、べたつきのない使用性であった。
実施例４　水中油型乳化口紅
（１）流動パラフィン　　　　　　　　　　　　　　　６０．８９
（２）ヒマシ油　　　　　　　　　　　　　　　　　　　０．５
（３）ジメチルポリシロキサン（１００ｃｓ）　　　　　１．０
（４）べヘニン酸ベヘニル　　　　　　　　　　　　　　３．０
（５）ヒドロキシステアリン酸オクチル　　　　　　　　１．０
（６）リンゴ酸ジイソステアリル　　　　　　　　　　　１．０
（７）酸化鉄赤　　　　　　　　　　　　　　　　　　　０．３
（８）酸化鉄黄　　　　　　　　　　　　　　　　　　　１．０
（９）赤色２０４号　　　　　　　　　　　　　　　　　０．７
（１０）赤色２０２号　　　　　　　　　　　　　　　　０．０ｌ
（１１）カルボキシメチルセルロースナトリウム　　　　０．５
（１２）１，３−ブチレングリコール　　　　　　　　　３．０
（１３）ソルビトール　　　　　　　　　　　　　　　　３．０
（１４）メチルパラベン　　　　　　　　　　　　　　　０．１
（１５）イオン交換水　　　　　　　　　　　　　　　２０．０
（１６）２−アルキル−Ｎ−カルボキシメチル−Ｎ−ヒドロキシエチルイミダゾリニウムベタイン（純分３０％）　　　　　　　　　　　　　　　　　　　　　　　　　　　　４．０
調製法
　実施例１と同様の方法により製造し、口紅の型に流し込み冷却して乳化口紅を得た。この口紅はみずみずしく、さっぱりとしていて、べたつきのない使用性であった。
実施例５〜６、比較例２〜６
　表１〜２に示すように配合処方により、実施例１と同様にして乳化組成物を製造した。このうち、実施例５は油中水型乳化コンパクトである。
　得られた各組成物について、次のような方法で▲１▼さっぱりさ、▲２▼みずみずしさ、▲３▼べたつきのなさ、および▲４▼硬度を評価した。その結果を実施例１〜４、比較例１の各組成物の結果とともに表３に示す。
　なお、表３中、試作不可は、乳化時に分離を起こして乳化できなかったことを示す。
評価法
　２０名の専門パネルによる使用テストを行い、各人の評価結果を平均した。
評価基準
　　５点：非常に良い。
　　４点：良い。
　　３点：やや良い。
　　２点：普通。
　　１点：悪い。
　　０点：非常に悪い。
評価の表示
　　＋＋：４点以上。
　　＋　：３点以上、４点未満。
　　±　：２点以上、３点未満。
　　−　：１点以上、２点未満。
　　−−：１点未満。
実施例７　水中油型乳化コンパクト（ファンデーション）
（１）デカメチルシクロペンタシロキサン　　　　　　１５．８
（２）キャンデリラロウ　　　　　　　　　　　　　　　５．０
（３）ステアリン酸　　　　　　　　　　　　　　　　　１．０
（４）赤酸化鉄　　　　　　　　　　　　　　　　　　　１．０
（５）黄酸化鉄　　　　　　　　　　　　　　　　　　　３．０
（６）黒酸化鉄　　　　　　　　　　　　　　　　　　　０．２
（７）二酸化チタン　　　　　　　　　　　　　　　　１０．０
（８）カオリン　　　　　　　　　　　　　　　　　　　５．０
（９）タルク　　　　　　　　　　　　　　　　　　　２５．８
（１０）１，３−ブチレングリコール　　　　　　　　　３．０
（１１）メチルパラベン　　　　　　　　　　　　　　　０．２
（１２）イオン交換水　　　　　　　　　　　　　　　２５．０
（１３）２−アルキル−Ｎ−カルボキシメチル−Ｎ−ヒドロキシエチルイミダゾリニウムベタイン（純分３０％）　　　　　　　　　　　　　　　　　　　　　　　　　　　　５．０
調製法
　（１）〜（３）を７０〜８０℃で撹拌溶解して油相部とし、（１０）〜（１３）を７０〜８０℃で撹拌溶解して水相部とする。油相部に水相部を加えて乳化させ、あらかじめ撹拌混合しておいた（４）〜（９）を混合し、ファンデーション中皿に流し混み、冷却して水中油型乳化コンパクトを得た。このコンパクトはみずみずしく、さっぱりとしていて、べたつきのない使用性であった。（高級脂肪酸／両性界面活性剤（モル比）＝０．８６）
比較例７　水中油型乳化コンパクト（ファンデーション）
（１）デカメチルシクロペンタシロキサン　　　　　　１５．８
（２）カルナバロウ　　　　　　　　　　　　　　　　　５．０
（３）ステアリン酸　　　　　　　　　　　　　　　　　１．０
（４）赤酸化鉄　　　　　　　　　　　　　　　　　　　１．０
（５）黄酸化鉄　　　　　　　　　　　　　　　　　　　３．０
（６）黒酸化鉄　　　　　　　　　　　　　　　　　　　０．２
（７）二酸化チタン　　　　　　　　　　　　　　　　１０．０
（８）カオリン　　　　　　　　　　　　　　　　　　　５．０
（９）タルク　　　　　　　　　　　　　　　　　　　２５．８
（１０）１，３−ブチレングリコール　　　　　　　　　３．０
（１１）メチルパラベン　　　　　　　　　　　　　　　０．２
（１２）イオン交換水　　　　　　　　　　　　　　　２５．０
（１３）２−アルキル−Ｎ−カルボキシメチル−Ｎ−ヒドロキシエチルイミダゾリニウムベタイ（純分３０％）
　　　　　　　　　　　　　　　　　　　　　　　　　　５．０
調製法
　実施例７と同様の方法により製造したところ、実施例７とは異なり、乳化時に分離を起こした。
比較例８　水中油型乳化コンパクト（ファンデーション）
（１）デカメチルシクロペンタシロキサン　　　　　　１５．８
（２）マイクロクリスタリンワックス　　　　　　　　　５．０
（３）ステアリン酸　　　　　　　　　　　　　　　　　１．０
（４）赤酸化鉄　　　　　　　　　　　　　　　　　　　１．０
（５）黄酸化鉄　　　　　　　　　　　　　　　　　　　３．０
（６）黒酸化鉄　　　　　　　　　　　　　　　　　　　０．２
（７）二酸化チタン　　　　　　　　　　　　　　　　１０．０
（８）カオリン　　　　　　　　　　　　　　　　　　　５．０
（９）タルク　　　　　　　　　　　　　　　　　　　２５．８
（１０）１，３−ブチレングリコール　　　　　　　　　３．０
（１１）メチルパラベン　　　　　　　　　　　　　　　０．２
（１２）イオン交換水　　　　　　　　　　　　　　　２５．０
（１３）２−アルキル−Ｎ−カルボキシメチル−Ｎ−ヒドロキシエチルイミダゾリニウムベタイン（純分３０％）
　　　　　　　　　　　　　　　　　　　　　　　　　　５．０
調製法
　実施例７と同様の方法により製造したところ、実施例７とは異なり、乳化はできるものの固型状にならなかった。
比較例９　水中油型乳化コンパクト（ファンデーション）
（１）デカメチルシクロペンタシロキサン　　　　　　１５．８
（２）キャンデリラロウ　　　　　　　　　　　　　　　５．０
（３）ステアリン酸　　　　　　　　　　　　　　　　　１．０
（４）赤酸化鉄　　　　　　　　　　　　　　　　　　　１．０
（５）黄酸化鉄　　　　　　　　　　　　　　　　　　　３．０
（６）黒酸化鉄　　　　　　　　　　　　　　　　　　　０．２
（７）二酸化チタン　　　　　　　　　　　　　　　　１０．０
（８）カオリン　　　　　　　　　　　　　　　　　　　５．０
（９）タルク　　　　　　　　　　　　　　　　　　　２５．８
（１０）１，３−ブチレングリコール　　　　　　　　　３．０
（１１）メチルパラベン　　　　　　　　　　　　　　　０．２
（１２）イオン交換水　　　　　　　　　　　　　　　２８．５
（１３）ポリオキシエチレン（６０モル）硬化ヒマシ油　１．５
調製法
　実施例７と同様の方法により製造したところ、実施例７とは異なり、乳化はできるものの粘度が低く、また経時で分離した。
実施例８　水中油型乳化コンパクト（ファンデーション）
（１）オクタメチルシクロテトラシロキサン　　　　　　５．６９
（２）ジメチルポリシロキサン（６ｃｓ）　　　　　　　５．０
（３）キャンデリラロウ　　　　　　　　　　　　　　　０．１
（４）セレシン　　　　　　　　　　　　　　　　　　　３．０
（５）１２−ヒドロキシステアリン酸　　　　　　　　　８．０
（６）デキストリン脂肪酸エステル処理赤酸化鉄　　　　１．０
（７）デキストリン脂肪酸エステル処理黄酸化鉄　　　　３．０
（８）デキストリン脂肪酸エステル処理黒酸化鉄　　　　０．２
（９）デキストリン脂肪酸エステル処理二酸化チタン　１０．０
（１０）デキストリン脂肪酸エステル処理セリサイト　　５．０
（１１）デキストリン脂肪酸エステル処理タルク　　　１０．８
（１２）ポリメチルメタクリレート球状粉末　　　　　　５．０
（１３）６，６−ナイロン　　　　　　　　　　　　　　５．０
（１４）プロピレングリコール　　　　　　　　　　　　３．０
（１５）ダイナマイトグリセリン　　　　　　　　　　　５．０
（１６）ヒアルロン酸　　　　　　　　　　　　　　　　０．０１
（１７）メチルパラベン　　　　　　　　　　　　　　　０．１
（１８）ヤシ油脂肪酸アミドプロピルベタイン（純分３０％）　３０．０
（１９）香料　　　　　　　　　　　　　　　　　　　　０．１
調製法
　７０〜８０℃で油相部に粉末を撹拌混合して水相部を加え、乳化した後、コンパクト中皿に流し込み、冷却して乳化コンパクトを得た。このコンパクトはみずみずしく、さっぱりとしていて、べたつきのない使用性であった。（高級脂肪酸／両性界面活性剤（モル比）＝１．０８）
　なお、ここで用いたデキストリン脂肪酸エステル処理粉末は、原料粉末９５重量％をデキストリン脂肪酸エステルの５重量％アイソパーＥ（エクソン化学社製）溶液に添加、撹拌し、脱溶媒し、乾燥、粉砕して得たものである。実施例９　水中油型乳化ステックファンデーション
（１）デカメチルシクロペンタシロキサン　　　　　　　２．９
（２）スクワラン　　　　　　　　　　　　　　　　　　２．０
（３）フルオロカーボン　　　　　　　　　　　　　　　０．２
（４）キャンデリラロウ　　　　　　　　　　　　　　１０．０
（５）ワセリン　　　　　　　　　　　　　　　　　　　３．０
（６）イソステアリン酸　　　　　　　　　　　　　　　３．０
（７）シリコーン処理赤酸化鉄　　　　　　　　　　　　１．０
（７）シリコーン処理黄酸化鉄　　　　　　　　　　　　２．５
（９）シリコーン処理黒酸化鉄　　　　　　　　　　　　０．２
（１０）マイカ　　　　　　　　　　　　　　　　　　　５．０
（１１）タルク　　　　　　　　　　　　　　　　　　　５．０
（１２）１，３−ブチレングリコール　　　　　　　　　５．０
（１３）ダイナマイトグリセリン　　　　　　　　　　１０．０
（１４）メチルパラベン　　　　　　　　　　　　　　　０．２
（１５）イオン交換水　　　　　　　　　　　　　　　４０．０
（１６）ラウリルジメチルアミノ酢酸ベタイン（純分４０％）　１０．０
調製法
　実施例７と同様の方法により製造し、スチックの型に流し込み冷却して水中油型乳化スチックファンデーションを得た。このスチックはみずみずしく、さっぱりとしていて、べたつきのない使用性であった。（高級脂肪酸／両性界面活性剤（モル比）＝０．７２）
実施例１０　水中油型乳化口紅
（１）流動パラフィン　　　　　　　　　　　　　　　６０．６９
（２）ヒマシ油　　　　　　　　　　　　　　　　　　　０．５
（３）ジメチルポリシロキサン（１００ｃｓ）　　　　　１．０
（４）キャンデリラロウ　　　　　　　　　　　　　　　３．０
（５）カルナバロウ　　　　　　　　　　　　　　　　　１．０
（６）１２−ヒドロキシステアリン酸　　　　　　　　　０．１
（７）オレイン　　　　　　　　　　　　　　　　　　　０．１
（８）リンゴ酸ジイソステアリル　　　　　　　　　　　１．０
（９）赤酸化鉄　　　　　　　　　　　　　　　　　　　０．３
（１０）黄酸化鉄　　　　　　　　　　　　　　　　　　１．０
（１１）赤色２０４号　　　　　　　　　　　　　　　　０．７
（１２）赤色２０２号　　　　　　　　　　　　　　　　０．０１
（１３）カルボキシメチルセルロースナトリウム　　　　０．５
（１４）１，３−ブチレングリコール　　　　　　　　　３．０
（１５）ソルビトール　　　　　　　　　　　　　　　　３．０
（１６）メチルパラベン　　　　　　　　　　　　　　　０．１
（１７）イオン交換水　　　　　　　　　　　　　　　２０．０
（１８）２−アルキル−Ｎ−カルボキシメチル−Ｎ−ヒドロキシエチルイミダゾリニウムベタイン（純分３０％）
　　　　　　　　　　　　　　　　　　　　　　　　　　４．０
調製法
　実施例７と同様の方法により製造し、口紅の型に流し込み冷却して水中油型乳化口紅を得た。この口紅はみずみずしく、さっぱりとしていて、べたつきのない使用性であった。（高級脂肪酸／両性界面活性剤（モル比）＝０．１０）
実施例１１〜１７、比較例１０〜１５
　表４〜７に示すような配合処方により、実施例７と同様にして水中油型の乳化組成物を製造した。表では、参考のため実施例７、比較例７〜９の処方についても記載した。」
　得られた各組成物について、実施例５〜６、比較例２〜６と同様の方法で▲１▼さっぱりさ、▲２▼みずみずしさ、▲３▼べたつきのなさ、および▲４▼硬度を評価した。その結果を実施例７〜１０、比較例７〜９の各組成物の結果と共に表８〜９に示す。
　なお、前記の評価法および評価基準に従う。
実施例１８〜２７　追加の化粧料成分を添加した固型化粧料（その１）　これらの実施例は、水、ワックスエステル、両性界面活性剤および高級脂肪からなる組成物の調製に際し、特に油相部に含めて添加される他の化粧料成分、シリコーン油、エステル油（または半固型ワックスエステル）、高級アルコール類、あるいはエチレングリコールまたはグリセロールの脂肪酸エステル類の添加効果を例証するものである。
　実施例７に記載の組成物におけるデカメチルシクロペンタシロキサンの一部を、それぞれ表１０に示す成分で代替したこと以外、実施例７に記載の調製法に従って各組成物（実施例１８〜２７）を調製した。
　各組成物への上記添加による硬度、ひびわれ防止効果および水分の揮散防止効果について評価した結果を実施例７の組成物に対する評価結果と併わせて表１０にまとめる。なお、評価方法は次のように行った。
　
硬度の測定
　不動工業株式会社（ＦＵＤＯ　ＫＯＧＹＯ　ＣＯ．）製の硬度計（レオメーター）を使用し、上述の「固型」または「固型状」について説明した測定条件に従い、各組成物の硬度をそれぞれ２０個の試料について測定し、その測定結果の平均値を示す。
　
揮散防止効果
　各組成物を室温（２５℃）で開放系に約１時間放置し、それぞれ２０個の試料の重量変化を測定し、もとの重量に対する重量の減少率の平均値を次のように分類して示す。
　　
評価の表示
減少率（％）
　　　＋＋＋　　　０．７％未満
　　　＋＋　　　　０．７％から１．０％未満
　　　＋　　　　　１．０％から１．３％未満
　　　±　　　　　１．３％以上
　
ひびわれ防止効果
　各組成物の表面をかき取った後、試料を室温下（２５℃）で開放系に放置し、それぞれ２０個の試料にひびわれが生じる傾向を経時的に観察し、それらの平均的な挙動を次のように分類して示す。
　　
評価の表示
　　　　ひびわれが生じる傾向　　　　　　　　
　　　＋＋＋　　　　極めて生じ難い
　　　＋＋　　　　　生じ難い
　　　＋　　　　　　試料の数個に小さなひびわれが生じる場合あり
　　　±　　　　　　試料の大部分に小さなひびわれが生じる場合あり
　表１０より、追加成分としてシリコーン油、エステル油（または半固型ワックスエステル）、高級アルコール、あるいはエチレングリコールの高級脂肪酸ジエステルの添加効果は、例えば次のように要約することができる。
　シリコーン油または前記ジエステルの添加は、組成物のひびわれ挙動および揮散性に対して悪影響を及ぼすことなく、組成物の硬度を高め、例えば指またはスポンジもしくはパフ等を用いて所望量を採取することを容易にする。
　エステル油の添加は、組成物の硬度および揮散性に殆んどまたは全く悪影響を及ぼすことなく、ひびわれ防止効果を有意に向上させる。
　高級アルコールは、組成物の硬度およびひびわれ挙動に対して悪影響を及ぼすことなく、揮散防止効果を有意に向上させる。
実施例２８〜３４　追加の化粧料成分を添加した固型化粧料（その２）
　これらの実施例は、実施例７の成分のうち、タルクの一部に代え他の球状粉末を添加した場合の効果を例証するものである。
　組成物の調製は、実施例７のタルクの一部を表１１に示す成分で代替したこと以外、実施例７に記載の調製法に従って実施した。
　各組成物への上記添加による硬度、肌の毛穴かくし効果およびべたつき防止効果（べたつきのなさ）を評価した。硬度およびべたつきのなさについては上述に従って評価した結果を表１１にまとめて示す。
　肌の毛穴かくし効果は、２０名の専門パネルによる使用テストを行い、実施例７の組成物に対する各人の相対的な評価結果を平均し、次の基準で表１１に示す。
　
評価の表示
相対的な評価
　　＋＋＋　　　著しい改善がみられる＊
　　＋＋　　　　かなりの改善がみられる
　　＋　　　　　若干の改善がみられる
　　±　　　　　実施例７の組成物と等価
　＊毛穴が全く目立たなくなる
ａ）〜ｇ）の商品名（製造元または販売元）は、次のものを使用した。ａ）球状シリカＰ−１５００（触媒化成株式会社）
　ｂ）　ナイロンＳＰ−５００（東レ株式会社）
　ｃ）　ファインパール３０００ＳＰＱ（住友化学株式会社）
　ｄ）　マイクロスフェアＭ３０６（エチレングリコールジメタクリレート）（松本油脂製薬株式会社）
　ｅ）　セルロフローＣ−２５（チッソ株式会社）
　ｆ）　トスパール１４５Ａ（東芝シリコーン株式会社）
　ｇ）　トレフィルＥ−５０６Ｓ（東レ株式会社）
表１１より、球状粉末の添加は、組成物の他の性質、例えば硬度、に悪影響を及ぼすことなく肌の毛穴を目立たなくし、べたつき（皮脂の吸着性等）を有意に改善することがわかる。
実施例３５〜３８　追加の化粧料成分を添加した固型化粧料（その３）
　これらの実施例は、実施例７の二酸化チタンの全てを各種形状の酸化チタンで代替した場合の効果を例証するものである。
　組成物の調製は、実施例７の二酸化チタンに代え、表１２に示す特定形状の酸化チタンを使用したこと以外、実施例７に記載の調製法に従って実施した。
　得られた各組成物の硬度、肌の毛穴かくし効果、べたつき防止効果、紫外線遮断効果を評価した結果をまとめて表１２に示す。
　硬度、毛穴の目立たなさ、べたつきのなさについては、上述の評価基準に従い、そして紫外線遮断効果［紫外線遮断ファクター（ＵＶ−ＣＵＴ（ＳＰＦ））］については、２０名の専門パネルによる使用テストを行い、１時間経過後の無添加（実施例７）のものの日焼けの程度（値「１４」）との相対的な値で示す。
　表１２より、二酸化チタンに代え特定形状の酸化チタンを使用すると、組成物の硬度が低下する場合もあるが、毛穴の目立たなさ、べたつきのなさが若干改善された上、紫外線遮断効果が有意に向上することがわかる。
実施例３９〜４９　追加の化粧料成分を添加した固型化粧料（その４）
　これらの実施例は、実施例７の組成物に水溶性高分子を添加した場合（イオン交換水の一部を代替する）の効果を例証するものである。
　組成物の調製は、実施例７の水相部に表１３に示す各水溶性高分子添加したこと以外、実施例７に記載の調製法に従って実施した。
　得られた各組成物について、上述の評価方法に従い硬度および揮散防止効果を評価した結果を表１３にまとめて示す。
　表１３より、一定の水溶性高分子の添加は、揮散防止効果を有意に改善するとともに、硬度を改善するのにも役立つ場合があることがわかる。
産業上の利用可能性
　本発明の水中油型化粧料用組成物または固型化粧料は、それら自体、肌への使用感に優れ、安定に保管できる化粧料用中間組成物または最終製品を提供できる。従って、化粧品製造業において、強い利用可能性を有する。